(57)【要約】【課題】バッテリー管理ユニットが電池モジュールの並列接続、直列接続状態を自動的に検出できるようする。【解決手段】実施形態では、複数の電池モジュールと、前記複数の電池モジュールに割り当てた識別子で、個々の電池モジュールを判定するとともに前記個々の電池モジュールと通信を行うバッテリー管理ユニットと、を有する。ここで、ダミーモジュールが、前記複数の電池モジュールのうち、電力接続系統が直列接続され最下流となる電池モジュールの識別子の隣の識別子を有し、前記バッテリー管理ユニットと通信を行うことができる。【選択図】図１Ａ
2015008040.tif 000002
【特許請求の範囲】
【請求項１】
複数の電池モジュールと、
前記複数の電池モジュールに割り当てた識別子で、個々の電池モジュールを判定するとともに前記個々の電池モジュールと通信系等を介して通信を行うバッテリー管理ユニットと、
前記複数の電池モジュールの直列接続状態の区切りを前記バッテリー管理ユニットに通知するために、前記通信系統上で直列接続された最後の電池モジュールに続いて配列されたダミーモジュールと、を有する二次電池装置。
【請求項２】
前記ダミーモジュールは、
前記複数の電池モジュールのうち、電力接続系統が直列接続されて最下流となる電池モジュールの識別子の隣の識別子を有し、前記バッテリー管理ユニットと通信を行う、
請求項１記載の二次電池装置。
【請求項３】
前記ダミーモジュールは、基板に設けたメモリにダミーデータを有する、請求項１記載の二次電池装置。
【請求項４】
それぞれ識別子を有する複数のモジュールと通信系統を介して交信するバッテリー管理ユニットのモジュール接続判別方法であって、
所定の通信方式により、前記複数のモジュールからのそれぞれの識別子とモジュール内のセルの電圧データを受信し、
前記電圧データがセル電圧の範囲を除く通知値を示す場合、前記通知値を送信したモジュールをダミーモジュールと判定し、
前記ダミーモジュールの識別子のすぐ上流にある識別子のモジュールは、電力接続系統が直列の電池モジュールであると判定する、
二次電池のモジュール接続判定方法。
【請求項５】
前記セルの電圧データを受信、前記ダミーモジュールの判定、前記直列の電池モジュールの判定を、保守点検作業後、又は二次電池装置の組み立て後に実行する請求項４記載の二次電池のモジュール接続判定方法。
【発明の詳細な説明】
【技術分野】
【０００１】
この発明の実施形態は二次電池装置及びモジュール接続判別方法に関する。
【背景技術】
【０００２】
二次電池装置を使用するシステムにおいては、二次電池を複数収容した電池モジュール（単にモジュールと称してもよい）を複数並列接続して使用する、或いは複数直列接続して使用する、或いは並列接続と直列接続を組み合わせて使用する。
【０００３】
１つの電池モジュールは、一定の大きさの筐体と、この筐体内に複数の二次電池を直列に収容できる部屋を並列に複数（例えば２つ）有する。各部屋に複数の電池を収容すると、例えば電池が直列接続される。
【０００４】
電池モジュール内には、外部のバッテリー管理ユニット（ＢＭＵ）と相互通信を行うことができるセル制御部（セル監視ユニット（ＣＭＵ）と称してもよい）が設けられている。
【０００５】
セル制御部は、電池電圧を検出する電圧検出器と、温度を検出する温度検出器、電池モジュールの電流を検出する電流検出器、セル電圧を均等化するためのセル均等化回路、電池残容量（ＳＯＣ）計算部、充放電前後の電池電圧を計測する開放回路電圧（ＣＯＶ）計測部等を有する。さらには、測定した電池電圧情報や、ＳＯＣ情報を外部のバッテリー管理ユニット（ＢＭＵ）に伝送する、また外部からの動作指令を受け取るための通信コントローラを含む。
【０００６】
バッテリー管理ユニット（ＢＭＵ）は、複数の電池モジュールからの情報を受けて、各電池モジュールに対する指令を行うことができる。例えば、情報の送信、充放電の実施、停止などである。この通信規格には例えば、コントロールエリアネットワーク（ＣＡＮ）が利用されている。
【先行技術文献】
【特許文献】
【０００７】
【特許文献１】特開２００８−１９３７５７号公報
【発明の概要】
【発明が解決しようとする課題】
【０００８】
上記のようにバッテリー管理ユニットが、複数の電池モジュールを管理する場合、各電池モジュールが接続されていることを認識する必要がある。このために、その認識の方法として、複数の電池モジュールに対して、モジュールＩＤを割り当て、モジュールＩＤを利用して、相互の通信を行っている。
【０００９】
しかし、バッテリー管理ユニットは、モジュールＩＤの情報のみでは、複数のモジュールの何個が並列接続され、何個が直列接続されているかを把握することはできない。しかし、モジュールへの過電圧、過電流を保護するため、電池の残容量（ＳＯＣ）を計算するためには、複数の電池モジュールの何個が並列接続され、何個が直列接続されているかを把握する必要がある。これは直列接続されている電池モジュールは、電池モジュール毎に単独で過電圧、過電流を監視する必要があり、また電池の残容量を計算するためには、電池モジュール毎に個別に電池の電圧測定を行う必要があるからである。
【００１０】
そこで複数の電池モジュールの何個が並列接続され、何個が直列接続されているかという情報は、予めバッテリー管理ユニット内のメモリに、パラメータとして格納されている。つまり、並列接続されたモジュールＩＤ，直列接続されたモジュールＩＤがテーブルに記述されている。
【００１１】
しかし、電池モジュールの交換作業などが行われた場合、或いはシステムの変更が行われ、モジュールの直列接続数、並列接続数が変化した場合、その都度パラメータを作成して、バッテリー管理ユニットに入力する必要がある。このような入力処理は、誤入力を生じる可能性を持つし、また、作業も煩雑となる。
【００１２】
そこでこの実施形態では、バッテリー管理ユニットが電池モジュールの並列接続、直列接続状態を自動的に検出できるようにした二次電池装置及びモジュール接続判別方法を提供することを目的とする。
【課題を解決するための手段】
【００１３】
実施形態によれば、複数の電池モジュールと、前記複数の電池モジュールに割り当てた識別子で、個々の電池モジュールを判定するとともに前記個々の電池モジュールと通信系等を介して通信を行うバッテリー管理ユニットと、前記複数の電池モジュールの直列接続状態の区切りを前記バッテリー管理ユニットに通知するために、前記通信系統上で直列接続された最後の電池モジュールに続いて配列されたダミーモジュールと、を有する。
【図面の簡単な説明】
【００１４】
【図１Ａ】実施形態の一例であり通信系統を示す構成説明図である。
【図１Ｂ】実施形態の一例であり電力接続系統を示す構成説明図である。
【図２】電池モジュールの内部の構成部品の一例を示すブロック図である。
【図３】一実施形態において通信系統で利用されるデータ伝送フレームの一例を示す説明図である。
【図４】一実施形態において複数の電池モジュールにおける識別子の例を示す説明図である。
【図５】一実施形態においてダミーモジュールのデータ伝送フレームとダミーデータの例を示す説明図である。
【図６】図１Ａの複数の電池モジュールから伝送される電池電圧データ及びダミーデータの一例を示す説明図である。
【図７】他の実施形態における複数の電池モジュールの接続形態の例を示す図である。
【図８】さらに他の実施形態における複数の電池モジュールの接続形態の例を示す図である。
【図９】バッテリー管理ユニットにおけるモジュール接続形態判定処理動作の一例を示すフローチャートである。
【発明を実施するための形態】
【００１５】
以下、実施の形態について図面を参照して説明する。まず図１Ａに実施形態の通信路４００を示し、図１Ｂに電力系統４１０を示す。
【００１６】
図１Ａには、収納ボックス１００に収納された電池モジュール１、２、３、４、５、６を示している。ここで電池モジュール１，２，４，５には、複数の二次電池（以下セルと略する）が収納されている。電池モジュールの接続形態をバッテリー管理ユニット（ＢＭＵ）３００が認識するために、ダミーモジュール３、６が配列される。
【００１７】
電池モジュール１を代表して説明する。電池モジュール１は、例えば一定の大きさの筐体１１１と、この筐体１１１内に複数のセルＣ１−Ｃ１２を直列に収容できる部屋を並列に複数（例えば２つ）有する。
【００１８】
各部屋に複数のセルＣ１−Ｃ１２を収容すると、例えば各セルＣ１−Ｃ１２が直列接続される。この例は一例であり、種々のタイプの電池モジュールがあり、セルの接続形態やセルの収納数は、使用するシステムの要求（容量、出力電圧など）に応じて調整される場合がある。
【００１９】
さらに電池モジュール１１内には、外部のバッテリー管理ユニット（ＢＭＵ）３００と相互通信を行うことができるセル制御部（セル監視ユニット（ＣＭＵ）と称してもよい）１２０が設けられている。
【００２０】
電池モジュール１の構成を示したが、他の電池モジュール２，４，５も同様な構成である。さらに本装置においては、ダミーモジュール３，６が設けられる。このダミーモジュール３，６は、電池モジュール１，２，４，５の電力系統の接続形態を、バッテリー管理ユニット３００が判別するために利用される。図１Ａは、バッテリー管理ユニット（ＢＭＵ）３００と各モジュール１−６内のセル制御部とが相互通信を行うための通信路４００を示している。
【００２１】
図１Ｂは、電池モジュール１１−１４の電力接続系統４１０を示している。バッテリー管理ユニット３００内には、各モジュールからのデータの収集、各電池モジュールに対する指令などを送るプロセッサが内蔵されている。また、各電池モジュールへの充放電を行うための端子盤なども含まれるものとする。なお各電池モジュールへの充放電系統（電力系統）は、別途配備される場合もある。
【００２２】
この例では、電池モジュール１，２が直列接続、電池モジュール４，５が直列接続され、電池モジュール１，２の直列回路と電池モジュール４，５の直列回路が並列接続されている。電池モジュールを直列接続とするか並列接続とするかは、筐体１００に取り付けられている端子とスイッチの選択或いは切り替え、或いは配線を行うことにより任意に選択できる。
【００２３】
ここでダミーモジュール３と６は、それぞれ複数の電池モジュールの直列接続の終端に続いて配置される。またはダミーモジュール３と６は、それぞれ複数の電池モジュールの直列接続のすぐ下流に配置される。つまり電池モジュールの直列接続の終わりを識別させるために、ダミーモジュールが利用されている。
【００２４】
このダミーのジュールが存在することの判定手法については、さらに後で説明する。このダミーモジュールは、本物のセルを持たず、基板に設けたメモリに電池データとしてのダミーデータを有するものであり、サイズは、電池モジュールに対して極めて微小なサイズである。したがって、ダミーモジュールは安価に製造することができる。図１Ｂでは分かり易くするために、電池モジュールと同じ大きさでしめしているが、ダミーモジュールの大きさは微小なサイズでよい。
【００２５】
図１Ａ、図１Ｂに示すように、ダミーモジュール３、６は、バッテリー管理ユニット（ＢＭＵ）と通信系統では接続されるが、電力接続系統では、非接続である。
【００２６】
図２は、電池モジュール１の内部の構成部品の一例を示すブロック図である。直列接続されたセルＣ１−Ｃ１２のプラス側は、プラス端子１０１を介して電力接続系統としてバッテリー管理ユニット２００内の端子盤に接続される。このプラス側端子は、例えば負荷（図示せず）のプラス端子に接続することができる。また負荷から回生電流が流れるときは、充電側端子となることができる。
【００２７】
直列接続されたセルＣ１−Ｃ１２のマイナス側は、電流検出器１３４を介してマイナス端子１０２に接続される。このマイナス端子１０２は、負荷のマイナス端子（グランドとも称される）に接続される。
【００２８】
セルＣ１−Ｃ１２の端子には、スイッチを介して電圧検出器１３１が接続されることができる。タイミング制御回路（図示せず）の制御に基づいて、電圧検出器１３１は、各セルの電圧を測定する。また温度検出器１３２は、セルＣ１−Ｃ１２の一部若しくは全体の温度を測定する。測定されたセル電圧、温度は、マイクロプロセッサ（ＭＰＵ）１３５において収集され、電池の残容量（ＳＯＣ）の推定、セル間電圧の均等化処理の要否などが判定される。
【００２９】
マイクロプロセッサ１３５は、収集したセル電圧を、モジュール識別子（モジュールＩＤ）とともに通信コントローラ１３６を介してバッテリー管理ユニット３００に送信することができる。この場合に利用される通式方式は、例えばコントロールエリアネットワーク（ＣＡＮ）が利用されている。またマイクロプロセッサ１３５は、電池の残容量（ＳＯＣ）も通信コントローラ１３６を介してバッテリー管理ユニット３００に送信することができる。
【００３０】
バッテリー管理ユニット３００は、セル電圧、ＳＯＣなどの情報に基づいて、電池モジュール１１１に対して充放電制御指令及び又は均等化処理指令を送信することができる。バッテリー管理ユニット３００は、その他のモジュールからもセル電圧のデータ、ＳＯＣなどを受信することができ、システム全体の動作状態を制御することができる。
【００３１】
なお図２では、電池モジュール１を代表して示しているが、他の電池モジュール２，３、・・・も通信系統によりバッテリー管理ユニット３００に接続されている。
【００３２】
図３は、例えば電池モジュール１のセル電圧の測定データが、ＢＭＵ３００に送信される際のフォーマットの一例を示している。この通信規格では、１フレームが例えばＣＡＮＩＤと８バイトのデータ領域で構成される。したがって、１つのセルのセル電圧を現すのに、２バイトを使うとすると、１２個のセルの測定データを伝送するためには、２４バイトが必要である。よって、１フレームが８バイトであるから、１２個のセルの測定データを伝送するためには、各フレームＣＡＮＩＤが付された３フレーム（第１、第２、第３フレーム）が必要である。
【００３３】
第１フレームには、セル電圧１−セル電圧４が割り当てられ、第２フレームにはセル電圧５−セル電圧８が割り当てられ、第３フレームにはセル電圧９−セル電圧１２が割り当てられる。
【００３４】
セル電圧は０〜３Ｖ前後の値をとり、１６進数では、０ｘ００００（００００ｍＶ）〜０ｘ０ＢＢ８（３０００ｍＶ）で表すことができ、２バイトの情報を必要とする。よって１つのセルで電圧の領域として上記のように２バイトが割り当てられる。
【００３５】
図４は、図１Ａに示した４つの電池モジュール１，２、４，５のセル電圧データをＢＭＵ３００に送信するために必要な全フレーム数（１２フレーム）の一例を示している。各フレームは、各モジュールに割り当てられたＣＡＮＩＤにより識別される。これに対して、ダミーモジュールの情報は次のようになる。
【００３６】
図５は、ダミーモジュール３、６の各フレームにおけるセル電圧の例を示している。ダミーモジュール３、６のためのフレームの構造は、他の電池モジュールのためのフレームの構造と同じある。しかし、ダミーモジュール３、６のためのセル電圧のデータは、本物のセルが絶対にとりえない数値、すなわちダミーモジュールであることが確実に分かる数値に設定される。例えば０ｘＣＣＣＣ（５２４２８ｍＶ）であれば、本物のセルは絶対に取り得ない値である。
【００３７】
またセル監視ユニット（ＣＭＵ）がセル電圧情報を取得できなかったなど、異常が存在することを示す数値が同じく本物のセルが絶対に取りえない値を用いて設定されている場合は、ダミーモジュールであることを示す数値と、上記異常が存在することを示す数値と、を異なる値とすることが好適である。これにより「ダミーモジュールの存在」と、「異常が存在する場合」を区別して検出することができる。
【００３８】
図６は、図１Ａに示すようなモジュール配列において、バッテリー管理ユニット（ＢＭＵ）３００が、各モジュールからのセル電圧データを受信して、テーブルを作成した一例を示している。
【００３９】
まず、モジュールの取替え、点検などが行われた後、或いは工場出荷時に点検作業において、バッテリー管理ユニット（ＢＭＵ）３００は、モジュールの接続状態のチェックを行う。
【００４０】
バッテリー管理ユニット（ＢＭＵ）３００は、各モジュールからのセル電圧データを収集する場合、各モジュールに対して順番に３フレーム分ずつのＣＡＮＩＤ（モジュールＩＤ）を割り付ける。次に、各モジュールのＭＰＵに対して、セル電圧の収集、並びにセル電圧データの送信を指令する。
【００４１】
これによりバッテリー管理ユニット（ＢＭＵ）３００は、少なくとも１８フレームを受信し、各モジュール１−６の全セル電圧データのテーブルを構築することができる。
【００４２】
このテーブルから分かるように、バッテリー管理ユニット（ＢＭＵ）３００は、第３番目と、第６番目のモジュールがダミーモジュールであることが直ぐに判定できる。
【００４３】
ここで、モジュール１、２が直列接続されていること、モジュール４，５が直列接続されていること、モジュール１，２の直列回路と、モジュール４，５の直列回路が並列接続されていることを判断する。これは、本システムでは、セル電圧データがセル電圧の範囲を除く通知値（上記した０ｘＣＣＣＣ（５２４２８ｍＶ）のような値）を示す場合、通知値を送信した電池モジュールをダミーモジュールと判定し、ダミーモジュールの識別子が、複数の電池モジュールの直列接続の終端を示す識別子であると判定するからである。
【００４４】
図７は、他の実施形態を示している。この例は、電池モジュール１、３、５が電力接続系統４１０で見ると並列である。そしてダミーモジュール２、４，６は、それぞれの電池モジュール１、３、５に続いて（それぞれの電池モジュール１，３，５の下流に）配置されている。
【００４５】
ＢＭＵ３００は、通信系統４００を利用して、各モジュール１−６に順次（上流から下流に向けて）ＩＤを割り当てる。次に、各モジュールにＣＡＮのフォーマットに基づいて、電圧データを送信するように指令する。ＢＭＵ３００は、各モジュールの電圧データのテーブルを構築する。これにより、規定外の電圧データを有するモジュールをダミーモジュールであると判定する。図７の例であるとモジュール２、４、６がダミーモジュールであると判定される。これにより、ＢＭＵ３００は、ダミーモジュールの１つ上流のモジュールが、電力接続系統に関しては、直列接続の最後の電池モジュールであると判定する。
【００４６】
図８は、さらに他の実施形態を示している。この例は、電池モジュール１、２、３が電力接続系統４１０で見ると直列である。そしてダミーモジュール４は、電池モジュール３に続いて（それぞれの電池モジュール３の下流に）配置されている。
【００４７】
ＢＭＵ３００は、通信系統４００を利用して、各モジュール１−４に順次（上流から下流に向けて）ＩＤを割り当てる。次に、各モジュールにＣＡＮのフォーマットに基づいて、電圧データを送信するように指令する。ＢＭＵ３００は、各モジュールの電圧データのテーブルを構築する。これにより、規定外の電圧データを有するモジュールをダミーモジュールであると判定する。図８の例であるとモジュール４がダミーモジュールであると判定される。これにより、ＢＭＵ３００は、ダミーモジュールより上流のモジュール１，２，３が、電力接続系統に関しては、直列接続の電池モジュールであると判定する。
【００４８】
図９は、バッテリー管理ユニット（ＢＭＵ）内における動作例を示すフローチャートである。バッテリー管理ユニット（ＢＭＵ）３００は、モジュールの取替え、点検などが行われた後、或いは工場出荷時の点検作業において、モジュールの接続状態のチェックを行う。この動作は、外部から利用者が操作してもよいし、ソフトウエアに基づいて自動的に起動してもよい。
【００４９】
バッテリー管理ユニット（ＢＭＵ）３００は、通信系統の各モジュールに対して上流から順番にＩＤを割り当てる（ステップＳＡ１）。ＩＤ割り当てに応じて、各モジュールから応答があった後、各モジュールに対して電圧データの送信を要求する。
【００５０】
バッテリー管理ユニット（ＢＭＵ）３００は、送られて来たデータを順次テーブルに格納する。また、バッテリー管理ユニット（ＢＭＵ）３００は、送られてきた各フレームの電圧データを検出し、ダミーモジュールからの通知値を持つデータであるかどうかを判断する。
【００５１】
ダミーモジュールからの通知値を持つデータであった場合は（ステップＳＡ３，ＳＡ４）、接続形態イメージ用テーブルに区切り目を記録する（ステップＳＡ５）。
【００５２】
全てのモジュールからの電圧データを取得すると（ステップＳＡ６）、図６で示したようなテーブルが構築される。このテーブルに基づいて、モジュール接続形態を判定し（ステップＳＡ７）、処理を終了する。
【００５３】
上記したように、複数の電池モジュールと、前記複数の電池モジュールに割り当てた識別子で、個々の電池モジュールを判定するとともに前記個々の電池モジュールと通信系等を介して通信を行うバッテリー管理ユニットとを有するシステムである。そしてダミーモジュールは、前記複数の電池モジュールの直列接続状態の区切りを前記バッテリー管理ユニットに通知するために、前記通信系統上で直列接続された最後の電池モジュールに続いて配列されている。
【００５４】
上記の説明では、説明を分かり易くするためにモジュール数を少ない数で説明したが、実際にはシステムの要求に応じてさらに多数のモジュールが使用される。また、実施形態によると、電池モジュールとダミーモジュールとは規則性をもって配置されている。したがって、ダミーモジュールの接続箇所の誤り、或いは電池モジュールの並列接続と直列接続の接続ミスがあると、この規則性が成立しなくなる。したがって、接続の規則性を判定するプログラムがＢＭＵに設けられることにより、配線誤り或いは接続誤りを検出することが可能である。
【００５５】
本実施形態が適用される二次電池としては、特定されるわけではないが、リチウムイオン電池、ニッケル水素電池、など各種開発されており、いずれの電池が使用されても可能である。またＳＯＣの変化に対してＯＣＶの変化も追従するような特性の場合、ＯＣＶからＳＯＣの推定が比較的精度良くできる。
【００５６】
以下二次電池の負極、正極、電解液などの材料の例を示す。
【００５７】
１）負極・・・負極は、負極集電体と、負極活物質含有層とを有する。負極活物質含有層は、負極活物質、導電剤および結着剤を含む。負極集電体は、アルミニウム合金箔等の金属箔を用いることができる。アルミニウム合金としては、アルミニウムの他に、例えば、Ａｌ−Ｆｅ合金、Ａｌ−Ｍｎ系合金およびＡｌ−Ｍｇ系合金である。
【００５８】
負極活物質としては、リチウムを吸蔵放出する物質を使用することができ、中でも、金属酸化物、金属硫化物、金属窒化物、合金などが挙げられる。負極活物質のリチウム吸蔵電位は、リチウム金属の開回路電位に対して開回路電位で０．４Ｖ以上であることが好ましい。これにより、負極集電体のアルミニウム成分とリチウムとの合金化反応の進行および負極集電体の微紛化を抑制できる。さらに、リチウム吸蔵電位は、リチウム金属の開回路電位に対して開回路電位で０．４Ｖ以上、３Ｖ以下の範囲であることが好ましい。これにより、電池電圧を向上させることができる。さらに好ましい電位範囲は、０．４Ｖ以上、２Ｖ以下である。０．４Ｖ以上、３Ｖ以下の範囲でリチウムを吸蔵することが可能な金属酸化物としては、チタン酸化物、例えばリチウムチタン酸化物、タングステン酸化物、アモルファススズ酸化物、スズ珪素酸化物、酸化珪素などが挙げられる。中でも、リチウムチタン酸化物が好ましい。
【００５９】
０．４Ｖ以上、３Ｖ以下の範囲でリチウムを吸蔵することが可能な金属硫化物としては、硫化リチウム、硫化モリブデン、硫化鉄等が挙げられる。
【００６０】
０．４Ｖ以上、３Ｖ以下の範囲でリチウムを吸蔵することが可能な金属窒化物としては、リチウムコバルト窒化物等が挙げられる。
【００６１】
導電剤として、炭素材料を用いることができる。例えば、アセチレンブラック、カーボンブラック、コークス、炭素繊維、黒鉛等を挙げることができる。
【００６２】
２）正極・・・正極は、正極集電体と、正極活物質含有層とを有する。正極活物質含有層は、正極集電体１９ａの片面もしくは両面に担持され、正極活物質、導電剤および結着剤を含む。
【００６３】
正極集電体は、アルミニウム合金箔等の金属箔を用いることができる。正極活物質としては、酸化物、硫化物、ポリマーなどが挙げられる。
【００６４】
酸化物として、例えば、二酸化マンガン（ＭｎＯ2）、酸化鉄、酸化銅、酸化ニッケル、リチウムマンガン複合酸化物、リチウムニッケル複合酸化物、リチウムコバルト複合酸化物、リチウムニッケルコバルト複合酸化物、リチウムマンガンコバルト複合酸化物、スピネル型リチウムマンガンニッケル複合酸化物、オリピン構造を有するリチウムリン酸化物、硫酸鉄、バナジウム酸化物などが挙げられる。
【００６５】
例えば、ポリマーとしては、ポリアニリンやポリピロールなどの導電性ポリマー材料、ジスルフィド系ポリマー材料などが挙げられる。その他に、イオウ（Ｓ）、フッ化カーボンなども使用できる。
【００６６】
好ましい正極活物質としては、高い正極電圧が得られるため、リチウムマンガン複合酸化物、リチウムニッケル複合酸化物、リチウムコバルト複合酸化物、リチウムニッケルコバルト複合酸化物、スピネル型リチウムマンガンニッケル複合酸化物、リチウムマンガンコバルト複合酸化物、リチウムリン酸鉄などが挙げられる。
【００６７】
電子伝導性を高め、集電体との接触抵抗を抑えるための導電剤としては、例えば、アセチレンブラック、カーボンブラック、黒鉛等を挙げることができる。
【００６８】
３）電解液・・・電解液は、電解質を有機溶媒に溶解することにより調製される。電解質濃度は、０．５〜２ｍｏｌ／Ｌの範囲内にすることができる。
【００６９】
電解質としては、ＬｉＢＦ４が挙げられる。有機溶媒としては、例えば、エチレンカーボネート（ＥＣ）、プロピレンカーボネート（ＰＣ）、ビニレンカーボネート（ＶＣ）などの環状カーボネート、ジメチルカーボネート（ＤＭＣ）、メチルエチルカーボネート（ＭＥＣ）、ジエチルカーボネート（ＤＥＣ）などの鎖状カーボネート、テトラヒドロフラン（ＴＨＦ）、２メチルテトラヒドロフラン（２ＭｅＴＨＦ）などの環状エーテル、ジメトキシエタン（ＤＭＥ）などの鎖状エーテル、γ−ブチロラクトン（ＢＬ）、アセトニトリル（ＡＮ）、スルホラン（ＳＬ）、リン酸エステル等を挙げることができる。これらの有機溶媒は、単独または２種以上の混合物の形態で用いることができる。
【００７０】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。また本明細書で用いた用語も限定されるものではなく、均等な用語であれば本発明の範疇である。
【符号の説明】
【００７１】
１−６・・・電池（又はダミー）モジュール、Ｃ１−Ｃ１２・・・セル、２０・・・セル制御部、１００・・・収納ボックス、３００・・・バッテリー管理ユニット（ＢＭＵ）。
【図１Ａ】
2015008040.tif 000003
【図１Ｂ】
2015008040.tif 000004
【図２】
2015008040.tif 000005
【図３】
2015008040.tif 000006
【図４】
2015008040.tif 000007
【図５】
2015008040.tif 000008
【図６】
2015008040.tif 000009
【図７】
2015008040.tif 000010
【図８】
2015008040.tif 000011
【図９】
2015008040.tif 000012